(57)【特許請求の範囲】
【請求項１】
長尺で中空の円筒状支柱の上部外周に巻き付けられた固定具を介して案内パネルを取着した案内掲示装置において、上記支柱の全外周面には連続した凹凸からなる波形の係合部を形成するとともに、上記固定具には、かつ支柱の周長よりも短い巻き付け部と、巻き付け部の両端から外方に突出する１対の挟持部とを設け、上記巻き付け部の内周には上記上記支柱の外周面の係合部に係合する係合受け部を形成し、上記支柱の係合部と上記巻き付け部の内周の係合受け部とを少なくとも上記固定具の巻き付け部の両端で係合させ、上記両挟持部間に上記案内パネルの端部を挟むとともに、上記両挟持部を引き寄せることにより、上記固定具を上記支柱に固定し、上記案内パネルを上記固定具に挟持固定して上記支柱の半径方向に突出させたことを特徴とする案内掲示装置。
【請求項２】
長尺で中空の支柱の上部外周に巻き付けられた固定具を介して案内パネルを取着した案内掲示装置において、上記支柱の外周面には係合部を形成するとともに、上記固定具には、かつ支柱の周長よりも短い断面円弧状の巻き付け部と、巻き付け部の両端から外方に突出する１対の挟持部とを設け、上記巻き付け部の内周には連続した波形の係合受け部を形成し、上記支柱の係合部と上記巻き付け部の内周の係合受け部とを少なくとも上記固定具の巻き付け部の両端で係合させ、上記両挟持部間に上記案内パネルの端部を挟むとともに、上記両挟持部を引き寄せることにより、上記固定具を上記支柱に固定し、上記案内パネルを上記固定具に挟持固定して上記支柱の半径方向に突出させたことを特徴とする案内掲示装置。
【請求項３】
前記請求項１又は請求項２において、前記各固定具の挟持部には、案内パネル側に突出する突部を形成したことを特徴とする案内掲示装置。
【請求項４】
前記請求項１又は請求項２において、前記固定具と案内パネルとの間には厚み調整材が介装されていることを特徴とする案内掲示装置。
【請求項５】
前記請求項１又は請求項２において、前記固定具は前記巻き付け部が複数に分割された部材を回動自在に連結したものであることを特徴とする案内掲示装置。
【請求項６】
前記請求項１又は請求項２において、前記両挟持部間には案内パネルの端部に固定された案内パネル支持具を挟持固定したことを特徴とする案内掲示装置。
【発明の詳細な説明】
【０００１】
【発明の属する技術分野】
本発明は地面に立設した支柱に放射状に案内パネルを取り付ける案内掲示装置に関する。
【０００２】
【従来技術】
一般に、この種の案内掲示装置は主として道路、公園、遊園地、動物園、遊歩道などに行先案内などのために設置されているものであり、従来は、実開昭６０ー１０７１１３号公報、実公平２ー２３６１８号公報、実公平８ー５５０６号公報等に示されたようなものが知られている。これらはいずれも、支柱に対して案内パネルの端部を直接に又は案内パネルの端部に固定した部材を嵌合させることにより、案内パネルが支柱から放射状に突出するようにしたものである。
【０００３】
【発明が解決しようとする課題】
しかしながら、これらのものはいずれも要するに支柱に案内パネルの端部を嵌合しただけにすぎず、案内パネルが支柱に対して強固に取り付けられる構造ではなかったから、強風や外力などによって案内パネルが支柱を中心に回転等で変動しやすい傾向があった。ところが、例えば行先案内の方向が狂ってしまえば、非常に迷惑になり、場合によっては事故を招くおそれもある。
【０００４】
また、従来のものは、微妙な角度調整ができにくかった。
【０００５】
本発明は上記問題点を解消し、案内パネルを支柱に対して強固に取り付け、支柱に対して回動したり、振れたりすることのない案内掲示装置を提供することをその課題とする。
【０００６】
【課題を解決するための手段】
前記課題を解決するため、本発明に係る案内掲示装置は、長尺で中空の円筒状支柱の上部外周に巻き付けられた固定具を介して案内パネルを取着した案内掲示装置において、上記支柱の全外周面には連続した凹凸からなる波形の係合部を形成するとともに、上記固定具には、かつ支柱の周長よりも短い巻き付け部と、巻き付け部の両端から外方に突出する１対の挟持部とを設け、上記巻き付け部の内周には上記上記支柱の外周面の係合部に係合する係合受け部を形成し、上記支柱の係合部と上記巻き付け部の内周の係合受け部とを少なくとも上記固定具の巻き付け部の両端で係合させ、上記両挟持部間に上記案内パネルの端部を挟むとともに、上記両挟持部を引き寄せることにより、上記固定具を上記支柱に固定し、上記案内パネルを上記固定具に挟持固定して上記支柱の半径方向に突出させたことを特徴とする。
【０００７】
また、本発明に係る案内掲示装置は、長尺で中空の支柱の上部外周に巻き付けられた固定具を介して案内パネルを取着した案内掲示装置において、上記支柱の外周面には係合部を形成するとともに、上記固定具には、かつ支柱の周長よりも短い断面円弧状の巻き付け部と、巻き付け部の両端から外方に突出する１対の挟持部とを設け、上記巻き付け部の内周には連続した波形の係合受け部を形成し、上記支柱の係合部と上記巻き付け部の内周の係合受け部とを少なくとも上記固定具の巻き付け部の両端で係合させ、上記両挟持部間に上記案内パネルの端部を挟むとともに、上記両挟持部を引き寄せることにより、上記固定具を上記支柱に固定し、上記案内パネルを上記固定具に挟持固定して上記支柱の半径方向に突出させるように構成してもよい。
【０００８】
また、前記各固定具の挟持部には、案内パネル側に突出する突部を形成するのが好ましい。
【０００９】
前記固定具と案内パネルとの間には厚み調整材が介装されているのが好ましい。
【００１０】
また、前記固定具は前記巻き付け部が複数に分割された部材を回動自在に連結するように構成してもよい。
【００１１】
さらに、前記両挟持部間には案内パネルの端部に固定された案内パネル支持具を挟持固定するようにしてもよい。
【００１２】
【発明の実施の形態】
図１は案内掲示装置の斜視図、図２はその要部の分解斜視図、図３は要部の横断面図を示すものであり、この案内掲示装置は、アルミニウムなどの金属からなる長尺の支柱１の上部に固定具２を介して案内パネル３を取着して成るものである。
【００１３】
支柱１は中空の円筒状（後述のように多角筒状でもよい）に形成され、その外周面には連続した凹凸からなる波形の係合部４が形成されている。
【００１４】
固定具２は巻き付け部５と挟持部６とからバンド状で、Ω字形、Ｕ字形等に形成されている。巻き付け部５は上記支柱１の外周に巻き付けられ、かつ支柱１の周長よりも短く形成されている。また、巻き付け部５の内側には、上記支柱１の係合部４に対応するように連続した凹凸からなる波形の係合受け部７が形成されている。挟持部６は巻き付け部５の両端から外方に突出するように形成され、１対が対向状に形成されている。各固定具２の挟持部６の先端には互いに向き合うように突出した突部１１が形成されている。
【００１５】
案内パネル３も中空の押出型材から構成すればよい。表面には行先、案内などが表示されている。
【００１６】
次に、支柱１の上部に固定具２を介して案内パネル３を取着するにあたっては、まず上記固定具２の巻き付け部５の内側を支柱１の外周に巻き付ける。係合部４と係合受け部７とは互いに重合するようにする。そして、案内パネル３を上記挟持部６間に挟み、ボルト８とナット９とにより締め付けて、両挟持部６を引き寄せ変形して係合部４と係合受け部７とが強固に圧接された状態で支持しあうようにする。支柱１の上端にはキャップ１０を取り付ける。これにより、案内パネル３は上記固定具２に挟持され、また上記固定具２は支柱１に圧接固定される。
そして、案内パネル３を上記支柱１の半径方向に安定に突出させることができる。
【００１７】
案内パネル３を交換、補修し、あるいは案内パネル３の方向を変えるときは、ボルト８ナット９を外せば案内パネル３の取り外しができ、ナット９をゆるめれば案内パネル３の方向を変えることができる。
【００１８】
上述の構成によれば、案内パネル３を上記挟持部６間に挟んでボルト８、ナット９により締め付けて両挟持部６を引き寄せる際、挟持部６の先端の突部１１のみが案内パネル３の表面に直接に当接し、他の部分は案内パネル３の面から浮いた状態になっており、両挟持部６を引き寄せる余裕空間ができる。したがって、ボルト８とナット９とを強固に締め付けることができ、固定具２を支柱１に強く圧接して固定することができる。
【００１９】
また、支柱１の係合部４と固定具２の係合受け部７とは互いに圧接状に係合しているから、固定具２は支柱１の回りに勝手に回動したり、ガタ、揺れ等の振れ、落下等が発生することがない。したがって、案内パネル３の方向を常に安定に保持することができる。
【００２０】
なお、図４（ａ）（ｂ）のように、支柱１の外周に形成した係合部４の数の方が固定具２の巻き付け」部５の係合受け部７の数よりも多く形成してもよい。図５に示すように、支柱１の外周に形成した係合部４の数の方が固定具２の巻き付け部５の係合受け部７の数よりも少なく形成するようにしてもよい。
【００２１】
また、係合部４と係合受け部７との係合態様は、図４（ａ）（ｂ）、図５に示すように、係合部４と係合受け部７のいずれかを凹部と凸部、凸部とこの凸部と隣り合う凸部、また凹部とこの凹部と隣り合う凹部と互いに嵌り合う形状として構成してもよい。
【００２２】
また、上記の例は支柱１の断面が円形状で、前記固定具２の巻き付け部５の断面が円弧状に形成されているものであるが、支柱１と固定具２の形状はこれに限定されない。例えば、図６（ａ）（ｂ）に示されるように、支柱１の断面が円形状で、前記固定具２の巻き付け部５の断面が円形状、円弧状等に形成されるようにしてもよい。
【００２３】
次に、係合部４と係合受け部７とは、少なくとも前記固定具２の巻き付け部５の両端ａ、ｂで係合するように形成するのが好ましい。その理由は、固定具２をボルト８とナット９で締め付けて両挟持部６を引き寄せたとき、その締め付け力は固定具２の巻き付け部５の両端に直接に伝達され、最も締め付け力が強くなる。この部分で支柱１と固定具２とが係合することにより、締め付け後のゆるみが少なくなり、両者を永く強く固定状態に保持することができるからである。
【００２４】
また、案内パネル３の厚みも、図７のように固定具２と案内パネル３との間には厚み調整材１２を介装するように構成し、または巻き付け部を支柱１の約半分にした構成にしてもよい。
【００２５】
同様に、図８に示すように、両挟持部６間には案内パネル３の端部に固定された案内パネル支持具１３を挟持固定するようにしてもよい。これによれば、案内パネル支持具１３に案内パネル３を支持する支持部１４と固定具２に支持される支持部１５とを連続的に形成することができるので、固定具２が案内パネル３の厚みと関係なく、常に最もよい状態で案内パネル支持具１３を固定することができる。
【００２６】
さらに、固定具２は一体に形成されたものに限定されない。例えば、図９、図１０に示すように、巻き付け部５から略半分に分割された部材１６、１７をヒンジ金具１８を介して回動自在に連結するようにしたものでもよい。固定具２は開閉することが可能となるから、開いて支柱１の回りに巻き付け、閉じて案内パネル３を自由な放射方向に取り付けることができ、取り付け後の方向調整、変更ができるので、取り扱いが非常に楽になる。
【００２７】
【発明の効果】
請求項１に係る発明によれば、案内パネルを上記挟持部間に挟んでボルト、ナットにより締め付けて両挟持部を引き寄せて離間した挟持部のみが案内パネルの表面に直接に当接した状態になって両挟持部を引き寄せる余裕空間ができ、案内パネルをしっかり固定することが可能となるとともに、固定具を支柱に強く圧接して固定することができる。
【００２８】
また、支柱の係合部と固定具の係合受け部とは互いに係合しているから、固定具は支柱の回りに勝手に回動することがないとともに、案内パネルへの振れ防止、落下防止となる。したがって、取付施工も省力化でき、案内パネルの半径方向で支柱に安定に保持することができる。
【００２９】
さらに、係合部と係合受け部とは、少なくとも前記固定具の巻き付け部の両端で係合するように形成されているから、固定具の挟持部を引き寄せたとき、その力は固定具の巻き付け部の両端に直接に伝達され、最も締め付け力が強くなる。この部分で支柱と固定具とが係合することにより、引き付け後のゆるみが少なくなり、支柱と固定具とを永く強く固定状態に保持することができる。
【００３０】
請求項３に係る発明によれば、各固定具の挟持部には、案内パネル側に突出する突部が形成されているから、案内パネルを上記挟持部間に挟んでボルト、ナットにより締め付けて両挟持部を引き寄せる際、挟持部の先端の突部のみが案内パネルの表面に直接に当接し、他の部分は案内パネルの面から浮いた状態になっており、両挟持部を引き寄せる余裕空間ができる。したがって、ボルトとナットの締めスプリング効果による締め外れ防止となり、かつ、係合部と係合受け部とが常に当接できるように締め付けることができ、固定具を支柱に強く圧接して固定することができる。
【００３１】
請求項４に係る発明によれば、固定具と案内パネルとの間には厚み調整材が介装されているから、案内パネルの厚みの大小又は形状に自由に対応することができる。
【００３２】
請求項５に係る発明によれば、固定具は前記巻き付け部が複数に分割された部材を回動自在に連結したものであるから、固定具を開閉することができる。したがって、案内パネルの方向性の調整や変更がよく、固定具の取り扱いが非常に楽になる。
【００３３】
請求項６に係る発明によれば、両挟持部間には案内パネルの端部に固定された案内パネル支持具を挟持固定するようにしたから、固定金具は案内パネルの厚さや形状等に影響されずに支持することができる。
【図面の簡単な説明】
【図１】本発明に係る案内掲示装置の斜視図
【図２】図１の要部の分解斜視図
【図３】図１の要部の横断面図
【図４】（ａ）（ｂ）は支柱の係合部の数の方が固定具の係合受け部の数よりも大きい場合の案内掲示装置の断面図
【図５】支柱の係合部の数の方が固定具の係合受け部の数よりも少ない場合の案内掲示装置の断面図
【図６】（ａ）（ｂ）はそれぞれ支柱が多角形状に形成された例の案内掲示装置の断面図
【図７】案内パネルの厚さが異なるものに対応する例を示した案内掲示装置の断面図
【図８】案内パネル支持具を介して案内パネルを挟持した例の案内掲示装置の断面図
【図９】固定具が分割された例を示す案内掲示装置の断面図
【図１０】上記案内掲示装置の固定具が開いた状態の平面図
【符号の説明】
１  支柱
２  固定具
４  係合部
５  巻き付け部
６  挟持部
７  係合受け部
１３  案内パネル支持具
【図１】
0003585387.tif 000002
【図２】
0003585387.tif 000003
【図３】
0003585387.tif 000004
【図４】
0003585387.tif 000005
【図５】
0003585387.tif 000006
【図６】
0003585387.tif 000007
【図７】
0003585387.tif 000008
【図８】
0003585387.tif 000009
【図９】
0003585387.tif 000010
【図１０】
0003585387.tif 000011